(57)【要約】【課題】使用者に対して煩雑な認証処理を要求することなく、セキュリティー機能を高めることが出来る情報の入力デバイスや認証システム等の提供を課題とする。【解決手段】  スマートフォン等が有するタッチパネルを介して情報の入力を行わせる情報入力デバイスであって、画面に近接した静電容量の変化を検出するタッチパネルによって検出可能な複数の導電部と、情報を搭載可能なＩＣおよび当該ＩＣに接続したアンテナを有し、前記導電部とアンテナを直接若しくは電磁的に結合させたことを特徴とする。また、導電部の全部または一部をアンテナを構成する導電回路に対して直列的に接続したり、アンテナを構成する導電回路に対して並列的に接続したりするものである。【選択図】図１
2018060485.tif 000002
【特許請求の範囲】
【請求項１】
画面に近接した静電容量の変化を検出するタッチパネルによって検出可能な複数の導電部と、
情報を搭載可能なＩＣおよび当該ＩＣに接続したアンテナを有し、
前記導電部とアンテナを直接若しくは電磁的に結合させたことを特徴とする情報入力デバイス。
【請求項２】
前記導電部の全部または一部を、アンテナを構成する導電回路に対して直列的に接続したことを特徴とする請求項１記載の情報入力デバイス。
【請求項３】
前記導電部の全部または一部を、アンテナを構成する導電回路に対して並列的に接続したことを特徴とする請求項１記載の情報入力デバイス。
【請求項４】
画面に近接した静電容量の変化を検出するタッチパネルによって検出可能な複数の導電部と、
情報を搭載可能なＩＣおよび当該ＩＣに接続したアンテナを有したことを特徴とする情報入力デバイス。
【請求項５】
画面に近接した静電容量の変化を検出するタッチパネルによって検出可能な複数の導電部と、情報を搭載可能なＩＣおよび当該ＩＣに接続したアンテナを有し、
前記タッチパネルによって検出した導電部の配置に基づく情報と、前記ＩＣの情報に基づいて認証を行うことを特徴とする認証システム。
【請求項６】
画面に近接した静電容量の変化を検出するタッチパネルによって検出可能な複数の導電部と、情報を搭載可能なＩＣおよび当該ＩＣに接続したアンテナを有し、
前記タッチパネルによって検出した導電部の配置に基づいて前記ＩＣの情報を取得するリーダーを起動し、前記ＩＣの情報を取得するように構成したことを特徴とする認証システム。
【請求項７】
画面に近接した静電容量の変化を検出するタッチパネルによって検出可能な複数の導電部と、情報を搭載可能なＩＣおよび当該ＩＣに接続したアンテナを有し、
前記取得したＩＣの情報に基づいて、前記タッチパネルによる導電部の検出をように構成したことを特徴とする認証システム。
【発明の詳細な説明】
【技術分野】
【０００１】
本発明は入力デバイスおよび認証システムに関するものである。
【背景技術】
【０００２】
スマートフォンなどの電子機器に搭載したタッチパネルによって、カードに搭載した複数の導電部を同時に検出させ、この導電部(被検出部)の配置を情報として利用する特許文献１記載のシステム等が知られている。
当該システムに使用するカードには、タッチパネルによって検出可能な静電容量を保持する被検出部とタッチパネルによる検出を意図しない端縁からカード全長の１／３程度の長さを全幅に亘って有する比較的面積の広い導電領域を設け、これら被検出部と導電領域を接続する幅の細い接続線を有するように形成している。
これは、被検出部を設けた側とは反対側に面積の広い導電領域を形成すると、この導電領域が電荷保持部として機能し、導電層全体が保持する電荷量を高めることができるからである。これにより、タッチパネルによる検出時には被検出部側と導電領域側との間で電荷が正と負に分かれるように偏りが生じ被検出部が検出されやすくなっている。
【０００３】
また、近年ではＮＦＣの機能を有したカードが一般的に用いられており、タッチパネルを有するスマートフォン等の携帯端末を読み取り用のリーダーとして利用することも可能になっている。ＮＦＣは、受信した電波を利用した起電力によって搭載したＩＣを駆動し、当該ＩＣに記憶した情報を電波を利用して伝送するものである。このため、リーダーが発信した電波の受信および記憶した情報の発信に使用するアンテナが必要となっている。
このように、ＮＦＣは情報の送受信に便利な反面、非接触の状態で情報の送受信が可能であるため、スキミングによって情報が盗まれるといったリスクを払拭できないものとなっている。
【先行技術文献】
【特許文献】
【０００４】
【特許文献１】特開２０１６−９２９１号公報
【発明の概要】
【発明が解決しようとする課題】
【０００５】
上記のようなスキミング等のリスクを考慮した場合、カードに搭載した情報の安全性を高める方法として、異なる複数の認証方式を組み合わせて使用することが好ましい。一般的には、使用者が暗証番号を入力するといった方法もあるが、桁数が少ないと比較的解読されやすい。また、暗証番号の桁数を増やすと利便性が損なわれるので利用されなくなってしまう。
本発明は当該事情に鑑み発明したものであって、使用者に対して煩雑な認証処理を要求することなく、セキュリティー機能を高めることが出来る情報の入力デバイスや認証システム等の提供を課題とするものである。
【課題を解決するための手段】
【０００６】
上記課題を解決するために、本発明は以下の構成を有することを特徴とする。すなわち、情報入力デバイスであって、画面に近接した静電容量の変化を検出するタッチパネルによって検出可能な複数の導電部と、情報を搭載可能なＩＣおよび当該ＩＣに接続したアンテナを有し、前記導電部とアンテナを直接若しくは電磁的に結合させたことを特徴とする。
【０００７】
また、本発明は以下の構成を有することを特徴とする。すなわち、
情報入力デバイスであって、画面に近接した静電容量の変化を検出するタッチパネルによって検出可能な複数の導電部と、情報を搭載可能なＩＣおよび当該ＩＣに接続したアンテナを有したことを特徴とする。
【０００８】
また、本発明は以下の構成を有することを特徴とする。すなわち、
認証システムであって、画面に近接した静電容量の変化を検出するタッチパネルによって検出可能な複数の導電部と、情報を搭載可能なＩＣおよび当該ＩＣに接続したアンテナを有し、
前記タッチパネルによって検出した導電部の配置に基づく情報と、前記ＩＣの情報に基づいて認証を行うことを特徴とする。
【０００９】
また、本発明は以下の構成を有することを特徴とする。すなわち、
認証システムであって、
画面に近接した静電容量の変化を検出するタッチパネルによって検出可能な複数の導電部と、情報を搭載可能なＩＣおよび当該ＩＣに接続したアンテナを有し、前記タッチパネルによって検出した導電部の配置に基づいて前記ＩＣの情報を取得するリーダーを起動し、前記ＩＣの情報を取得するように構成したことを特徴とする。
【００１０】
また、本発明は以下の構成を有することを特徴とする。すなわち、
認証システムであって、
画面に近接した静電容量の変化を検出するタッチパネルによって検出可能な複数の導電部と、情報を搭載可能なＩＣおよび当該ＩＣに接続したアンテナを有し、
前記取得したＩＣの情報に基づいて、前記タッチパネルによる導電部の検出をように構成したことを特徴とする。
【発明の効果】
【００１１】
本発明は、２以上の認証方法の組み合わせた入力デバイスの提供によって、安全性の高い認証システムを提供することができるという効果を有している。また、複雑な操作を必要とすること無い入力デバイスの提供が可能であるという効果も有している。
【図面の簡単な説明】
【００１２】
【図１】入力デバイスの内部に設けた導電回路の一例を表した説明図である。
【図２】入力デバイスの使用状態を説明するための説明図である。
【図３】入力デバイスを使用した認証処理の一例を表した説明図である。
【図４】入力デバイスに設けた他の導電回路の一例を表した説明図である。
【図５】入力デバイスに設けたさらに他の導電回路の一例を表した説明図である。
【図６】入力デバイスの他の実施例を表した説明図である。
【図７】入力デバイスに設けた他の導電回路の一例を表した説明図である。
【図８】入力デバイスに設ける導電回路の他の例を表した説明図である。
【図９】図８に示した導電回路を入力デバイス上において合成した例を表した説明図である。
【発明を実施するための形態】
【００１３】
以下、本発明の一実施の形態を図を用いて説明する。
図１は、カード型に形成した入力デバイス１の内部に設けた導電回路の一例を表した説明図である。入力デバイス１の外径は、一例としてクレジットカード程度の矩形の薄いシート若しくは板状体として形成されている。ただし、入力デバイス１の形状は、薄い板状に限るわけではなく、以下に説明する構成、作用、効果を実質的に有するものであれば、肉厚のある板状であったり、高さのある立体形状であったり、人形を取り付けたような台座や、スタンプのようなものでも差し支えないものである。
【００１４】
入力デバイス１は、外観上から見える基材２、当該基材上に形成される情報層３、当該情報層３を覆うように基材２に対して重ねられる表層部材から構成される。図１は、薄い矩形の板状体である基材２と、当該基材２の表面に設けた情報層３を表しており、表層部材を省略して表している。
情報層３は、大きく２種類の領域に分けて、静電容量を利用した情報の検出に利用する複数の導電部４を配置した被検領域Ａ１と、ＮＦＣ（Near Field Communication）に使用するＩＣ５とアンテナとして機能するパターン配線６の大半を設けたＮＦＣ領域Ａ２によって構成されている。
【００１５】
被検領域Ａ１には、直径５〜１０ｍｍ程度の円形若しくは矩形形状に形成した導電面からなる導電部４（４ａ、４ｂ、４ｃ、４ｄ）が、互いに重ならないよう間隔を空けて配置されている。各導電部４は、一例として３行×４列の行列状に配置した１２カ所の部位４’から選択された何れかの位置に設けられている。導電部４は、プリント配線基板上に形成する配線パターンのように、薄い箔状の導電面によって形成されている。
【００１６】
この導電部４を形成する導電面は、様々な方法によって形成することが可能であり、導電性のインクを使用したシルク印刷、金属箔を貼り付けるホットスタンプやコールドスタンプ、フォトリソグラフィその他各種の方法によって形成することができる。
導電部４ａと４ｂ、４ｂと４ｃ、４ｃと４ｄの間には、導電部と同様の素材、方法によって形成した配線７が細い線状の導電パターンとして設けられている。
また、基材２は導電部４を形成する素材や方法に適したものが用いられるものであり、紙、PPやPET等のプラスチック素材、フェノールその他の絶縁素材によって形成される。
【００１７】
被検領域Ａ２には、中央にＩＣ５を配置し、このＩＣ５を中心として複数回周回するように環状（渦巻き状）にパターン配線６を形成している。ＩＣ５とパターン配線６によって構成されるＮＦＣデバイスは、粘着シート上にＮＦＣデバイスを配置したＮＦＣタグとして形成されたものを貼り付けることによって形成してもよいし、パターン配線６を形成した基板２上にＩＣ５を実装することによって形成してもよいものである。
前記ＮＦＣタグの貼り付け若しくは実装によって基板２に設けられたＩＣ５は、パターン配線６によってリーダーとなる装置からの電波を受信すると、この電波を利用して駆動され、パターン配線６を介して記憶した情報を発信するように構成される。
【００１８】
パターン配線６の形状は、実装するＩＣの仕様によって異なるものであるが、本実施の形態では、ＩＣが有する２極の電極に末端８、９を接続したループアンテナとして機能する形状に形成されている。
そして、本実施の形態では、ループアンテナを形成するパターン配線６の最外周の一部を、直列的に接続した導電部４ａ、配線７、導電部４ｂ、配線７、導電部４ｃ、配線７、導電部４ｄの端部である導電部４ａと導電部４ｄに接続している。具体的には、パターン配線６の一部である配線１０を導電部４ａに接続し、パターン配線６の一部である配線１１を導電部４ｄに接続している。
この構成により、ＩＣが有する電極の一方に接続されたパターン配線６が、導電部４ａ、４ｂ、４ｃ、４ｄを経由してＩＣが有する電極の他方に接続されることになり、導電部４ａ、４ｂ、４ｃ、４ｄを含めた大きなループアンテナが形成されることになる。
この導電部４ａ、４ｂ、４ｃ、４ｄを含めたループアンテナは、ＮＦＣのリーダー装置が発信する電波（13.56MHz帯）と同期可能な長さとなるように調節されている。
【００１９】
被検領域Ａ１に設けた各導電部４をタッチパネルによって認識させる場合、単に導電部４を配置しただけでは機能を発揮しない。すなわち、従来技術で示した入力デバイスのように、被検出部となる導電部４とは別に十分な電荷を供給可能することができる導電領域のような電荷保持部を設ける必要がある。
本実施の形態に係る入力デバイス１では、導電部４に上記の電荷保持部としてパターン配線６を接続している。パターン配線６の本来の目的はＩＣを駆動させるアンテナ機能であるが、導電部４に接続することによって電荷保持部としても機能させるものである。
【００２０】
このように、パターン配線６を導電部４に対する電荷保持部およびＩＣ５の駆動・通信に使用するアンテナとして用いると、限られた面積しかない基材２上の平面を有効に使用することが可能となる。
また、ＩＣ５を基材２上に直接実装する場合には、パターン配線６と導電部４を含む全ての導電部を、同一の工程で設けることが可能となり、効率よく双方を設けることが可能になる。
【００２１】
さらに、上記のようにパターン配線６と導電部４を含む全ての導電部を同一の工程で設ける方法として、一側面に粘着層を設けた薄いシール（ＮＦＣタグ）を形成する際にパターン配線６と導電部４を設ける方法がある。言い換えるならば、静電容量の変化を利用してタッチパネルによって検出可能な被検出部を有したＮＦＣタグを構成することができるということである。
この静電容量を利用した被検出部を有したＮＦＣタグを、カード状の基材および表層を形成する板材（若しくはシート材）によって挟むように積層させると、両機能を有したカード型の入力デバイスを構成することが可能になる。
【００２２】
図２は、上記のように構成した入力デバイス１の使用状態を説明するための説明図である。同図に表した入力デバイス１は、基材２表面に情報層３を設け、さらに表層シート１２を重ね合わせて一体化したカードとして形成したものである。
入力デバイス１に搭載した被検出部を認識させるには、タッチパネルを有した携帯端末Ｔに認識用のエンジンを搭載したアプリケーションプログラムを実行させるか、若しくは認識用のエンジンを搭載したＨＴＭＬファイルをブラウザを使用して実行させることによって行う。
【００２３】
携帯端末Ｔに、アプリケーションプログラム若しくはＨＴＭＬファイルを実行させた後に、入力デバイス１の裏面をタッチパネル上に裁置するように接触させると、入力デバイス１に搭載した複数個の導電部４がタッチパネルによって認識される。
携帯端末Ｔでは、入力デバイス上に配置された各導電部４の位置情報を取得することができるので、この位置情報をデータベースと比較若しくはハッシュ関数を利用したアルゴリズム等を利用した演算処理等によって、入力デバイス１が搭載した静電コードを取得若しくは識別することができるようになっている。
本願明細書において静電コードとは、導電部４を配置した位置の組み合わせによって生成される他との区別が可能な情報若しくはこれに対応して割り当てられた情報のことをいう。
【００２４】
図３は、入力デバイス１を使用した認証処理の一例を表した説明図である。初めに、静電コードの取得機能を実行するプログラムＡｐｐの実行若しくは静電コードを取得可能なブログラムを搭載したＨＴＭＬファイルを携帯端末Ｔに搭載したブラウザによって開く。これらプログラムＡｐｐの実行若しくはＨＴＭＬファイルの実行（閲覧）を行うと（Ｓ１）、携帯端末Ｔによって入力デバイス１が搭載した複数個の導電部４の位置情報が可能になる。
この状態で入力デバイス１を携帯端末Ｔのタッチパネルに裁置（接触）させると、入力デバイス１に搭載した導電部４が検出され、その位置情報が取得される（Ｓ２）。
導電部４の位置情報が取得されると、プログラムＡｐｐ内に記憶されている情報若しくサーバ上に記憶されている情報との比較、若しくはアルゴリズムに基づいた演算によって静電コードの認証が行われる（Ｓ３）。
【００２５】
静電コードの認証が適切に行われた場合には、携帯端末ＴによってＮＦＣの情報を取得するためのＮＦＣリーダーが起動される（Ｓ４）。ＮＦＣリーダーが起動されると、携帯端末ＴはＮＦＣ駆動用の電波を送信するとともに、ＮＦＣが発信した電波によって搬送されたＩＣ情報（ＩＣに記憶された識別情報）を取得する（Ｓ５）。
ＩＣ情報を取得すると、プログラムＡｐｐ内に記憶されている情報若しくサーバ上に記憶されている情報との比較、若しくはアルゴリズムに基づいた演算によってＩＣ情報の認証が行われ（Ｓ６）、一連の認証処理を終了する（Ｓ７）。
ＮＦＣリーダーの起動（Ｓ４）およびＩＣ情報の取得（Ｓ５）は、前述の静電コードの認証（Ｓ３）後、速やかに行うことが可能であるので、静電コードの認証のために入力デバイス１を携帯端末Ｔのタッチパネルに接触させて段階で、利用者が意識することなく全ての認証処理を行うことも可能である。
【００２６】
上記の２つの認証処理は、上記のように一連の処理として一度に行っても良いし、例えばインターネットバンキングのようなログイン時に行う認証と振り込みの実行時に行う認証のように、各認証処理を分離して実行するようにしても差し支えないものである。
また、上記の処理は静電コードの認証（Ｓ３）後にＮＦＣによるＩＣ情報を取得する（Ｓ５）ように構成したが、ＮＦＣによるＩＣ情報を取得した後に静電コードの認証（Ｓ３）を行うようにしてもよい。
さらに、上記の認証処理に加えて、暗証番号を組み合わせたり他の情報を組み合わせるように構成しても差し支えがない。
【００２７】
次に、本発明の他の実施の形態を図を用いて説明する。
図４は、他の実施の形態に係るカード型に形成した入力デバイス１００の内部に設けた導電回路の一例を表した説明図である。同図に示した入力デバイス１００は、以下に説明する事項を除き前述した入力デバイス１と同一若しくは実質的な同一なものであるので、入力デバイス１と重複する説明については同一符号を付してその説明を省略する。
【００２８】
入力デバイス１００は、入力デバイス１と同様に静電容量を利用した情報の検出に利用する複数の導電部１０２（１０２ａ、１０２ｂ、１０２ｃ、１０２ｄ、１０２ｅ）を配置した被検領域Ａ１と、ＮＦＣ（Near Field Communication）に使用するＩＣ５とアンテナとして機能するパターン配線６’の大半を設けたＮＦＣ領域Ａ２によって構成される情報層３を有している。
入力デバイス１とは異なり、入力デバイス１００に搭載したパターン配線６’は、複数の導電部１０２（１０２ａ、１０２ｂ、１０２ｃ、１０２ｄ、１０２ｅ）を直列的に経由することなく、ＩＣ５の通信に必要なループ状のアンテナを構成している。
【００２９】
また、入力デバイス１００では、パターン配線６’の一部から分岐させた直線部１０１を設け、当該直線部１０１と導電部１０２ａ、１０２ｃ、１０２ｄ、１０２ｅを個別の配線１０３ａ、１０３ｃ、１０３ｄ、１０３ｂ）によって接続している。また、導電部１０２ｂと導電部１０２ｃを個別の配線１０３ｂによって接続し、導電部１０２ｃを介して間接的に直線部１０１と接続している。
上記の接続によって、各導電部１０２ａ〜１０２ｅとパターン配線６’が接続されることになり、パターン配線６’と導電部１０２ａ〜１０２ｅとの間で電荷の移動が可能になる。そして、このような電荷の移動を行わせることにより、導電部１０２ａ〜１０２ｅをタッチパネルによって認識させることが可能になる。
なお、ターン配線６’は、ループ状のアンテナとしての機能は損なわれていないので、ＮＦＣとしての通信は可能であり、前述の図３に示したような認証処理が可能となっている。
【００３０】
図５は、他の実施の形態に係るカード型に形成した入力デバイス２００の内部に設けた導電回路の一例を表した説明図である。
同図に示した入力デバイス２００は、以下に説明する事項を除き前述した入力デバイス１若しくは入力デバイス１００と同一若しくは実質的な部分を有するものであるので、入力デバイス１若しくは入力デバイス１００と重複する説明については同一符号を付してその説明を省略する。
【００３１】
入力デバイス２００は、入力デバイス１と同様に静電容量を利用した情報の検出に利用する複数の導電部２０２（２０２ａ、２０２ｂ、２０２ｃ、２０２ｄ、２０２ｅ）を配置した被検領域Ａ１と、ＮＦＣ（Near Field Communication）に使用するＩＣ５とアンテナとして機能するパターン配線６’の大半を設けたＮＦＣ領域Ａ２によって構成される情報層３を有している。また、パターン配線６’は、ＩＣ５の通信に必要なループ状のアンテナを構成している。
【００３２】
また、入力デバイス２００では、パターン配線６’の最外周に設けた直線部１０１から分岐させた直線状の配線２０３ａを設け、当該直線状の配線２０３ａと導電部２０２ａを導通させている。
また、導電部２０２ａと導電部２０２ｂを配線２０３ｂによって接続し、導電部２０２ｂと導電部２０２ｃを配線２０３ｃによって接続し、導電部２０２ｃと導電部２０２ｄを配線２０３ｄによって接続し、導電部２０２ｄと導電部２０２ｅを配線２０３ｅによって接続している。また、導電部２０２ｅは配線２０３ｆによってパターン配線６’の直線部１０１と接続している。
【００３３】
上記の配線は、配線２０３ｂ、導電部２０２ａ、配線２０３ｂ、導電部２０２ｂ、配線２０３ｃ、導電部２０２ｃ、配線２０３ｄ、導電部２０２ｄ、導電部２０２ｅ、配線２０３ｅ、配線２０３ｆで構成される導電回路が、パターン配線６’の直線部１０１に対して並列的に接続されているものである。
当該接続によって、
各導電部２０２ａ、２０２ｂ、２０２ｃ、２０２ｄ、２０２ｅとパターン配線６’が接続されることになり、パターン配線６と導電部２０２ａ〜２０２ｅとの間で電荷の移動が可能になる。そして、このような電荷の移動を行わせることにより、導電部２０２ａ〜２０２ｅをタッチパネルによって認識させることが可能になる。
なお、ターン配線６’は、ループ状のアンテナとしての機能は損なわれていないので、ＮＦＣとしての通信は可能であり、前述の図３に示したような認証処理が可能となっている。
【００３４】
次に、図６を用いて他の入力デバイス３００に関して説明する。当該入力デバイス３００は、前述した入力デバイスと同様に、薄いカードとして形成されているものである。
図６は、カード型の基材３０１と、当該基材上に設けられる導電層３０２を表している。基材３０１は、紙、PPやPET等のプラスチック素材、フェノールその他の絶縁素材によって形成される。また、導電層３０２は、導電性のインクを使用したシルク印刷、金属箔を貼り付けるホットスタンプやコールドスタンプ、フォトリソグラフィその他各種の方法によって形成されている。
【００３５】
導電層３０２は、前述した入力デバイスの被検領域Ａ１と同様に、タッチパネルによって検出可能な導電部３０３（３０３ａ、３０３ｂ、３０３ｃ、３０３ｄ、３０３ｅ）が、互いに重ならないよう間隔を空けて配置されている。
また、導電部３０３を設けた側とは反対側の端縁には、当該端縁に沿ってバーコード３０４が設けられている。バーコード３０４は、ＪＡＮコードを含め光学的なリーダー装置によって認識可能な２次元情報を構成しており、バーコード３０４を構成する各細線は、導電部３０３に近い側において直線状の導電部３０５に接続されている。
バーコード３０４は、光学的に認識可能な情報を形成すると共に、導電部３０５との結合によって一体的な導電性領域を形成し、所定量の電荷を保持する電荷保持領域を形成している。
【００３６】
タッチパネルによって検出可能な導電部３０３（３０３ａ、３０３ｂ、３０３ｃ、３０３ｄ、３０３ｅ）は、導電性の配線３０６（３０６ａ、３０６ｂ、３０６ｃ、３０６ｄ、３０６ｅ）によって、バーコード３０４の導電部３０５と直接若しくは間接的に接続され、電気的に導通するようになっている。
各導電部３０３は、前述した各入力デバイスと同様にタッチパネルによって認識されるものであり、配置によって生成される識別可能な情報を形成するものである。
また、バーコード３０４も別途用意した光学的なリーダー装置によって取得可能な情報を構成するものであるが、バーコード３０４は各導電部３０３との間で電荷の移動を可能とする電荷蓄積部としての機能を有するものである。これにより、各導電部３０３は、タッチパネルによって認識される際に十分な電荷（静電容量）を保持することができ、認識が可能になる。
【００３７】
また、バーコード３０４の表面をコーティングせずに人体との電気的な導通を可能にすると、各導電部３０３と人体間に生じる電位差等に応じて、人体が保有する電荷をバーコード３０４を介して各導電部３０３に供給可能になる。このように構成すると、バーコード３０４の前述した電荷（静電容量）の保持機能とともに、人体との接続によってタッチパネルによる認識を確実なものにすることができる。
以上説明した入力デバイス３００は、静電容量を利用した情報と、バーコードを利用した情報の２種類の情報を保持することができるものである。そして、これに加えて、バーコードが静電容量を利用した情報の取得を行わせるために必要な電荷の保持領域および／若しくは人体との接続を行わせる接触部位としての機能を果たすようになっている。
【００３８】
本実施例に係る入力デバイスは、タッチパネルによって取得可能な情報と、タッチパネル以外の情報認識手段（例えばカメラ等）を利用して取得可能な情報の２種類を有している。このような入力デバイスを使用すると、例えばカメラによって撮影したバーコードに搭載されているＵＲＬ情報を取得し、当該ＵＲＬ情報に基づいてアクセスしたHTMLファイルに含まれるプログラムによって導電部３０３を取得し認証するというシステムが構築可能になる。
なお、バーコードは、タッチパネルを有さない他の装置によって取得される情報として利用してもよい。
【００３９】
次に、図７を用いて他の入力デバイス４００に関して説明する。当該入力デバイス４００は、前述した各入力デバイスと同様に、薄いカードとして形成されているものである。
図７は、カード型の基材４０１の表面に設けた情報層の外観を表した説明図である。
情報層は、タッチパネルによって認識可能な情報を搭載した第１情報部４０２と、ＮＦＣ機能によって取得可能な情報を搭載した第２情報部４０３によって構成されている。第１情報部４０２と第２情報部４０３は、概ねカード型に形成した基材４０１上の領域を折半したそれぞれの領域内に配置されている。
【００４０】
第１情報部４０２は、一例として前述した入力デバイス１００と同様に、静電容量を利用した情報の検出に利用する複数の導電部１０２（１０２ａ、１０２ｂ、１０２ｃ、１０２ｄ、１０２ｅ）を有している。
また、各導電部１０２を機能するために必要な電荷保持部として、第２情報部４０３を設けた領域に、導電性のある矩形環状の配線部４０４を設けている。そして、当該配線部４０４の一部と、前記各導電部１０２ａ、１０２ｃ、１０２ｄ、１０２ｅを個別の配線１０３ａ、１０３ｃ、１０３ｄ、１０３ｂ）によって接続している。
また、導電部１０２ｂと導電部１０２ｃを個別の配線１０３ｂによって接続し、導電部１０２ｃを介して間接的に直線部１０１と接続している。
【００４１】
上記の接続によって、各導電部１０２ａ〜１０２ｅと環状部４０４が接続されることになり、配線部４０４と導電部１０２ａ〜１０２ｅとの間で電荷の移動が可能になる。そして、このような電荷の移動を行わせることにより、導電部１０２ａ〜１０２ｅをタッチパネルによって認識させることが可能になる。
各導電部１０２ａ〜１０２ｅは配線部４０４と接続によって、両者間において電荷の移動が可能になり、タッチパネルによる検出に必要な電荷を取得できるようになっている。すなわち、各導電部１０２ａ〜１０２ｅは、配線部４０４と接続によってタッチパネルによって認識可能な情報を形成するものである。
【００４２】
第２情報部４０３を設けた領域には、ＮＦＣに使用するＩＣ５とアンテナとして機能するパターン配線６’’を設けている。ＩＣ５とパターン配線６’’は、一つのパッケージ化された商品として販売されているものを用いてもよいし、基材４０１の表面に直接パターン配線６’’を設け、ＩＣ５をマウントして構成してもよいものである。
本実施例では、ＮＦＣの一部を構成するパターン配線６’’と第１情報部４０２を構成する配線部４０４は接続していない。
【００４３】
この例では、ＩＣ５とパターン配線６’’を環状に形成した配線部４０４によって取り囲むように構成しているが、各導電部１０２ａ〜１０２ｅが認識できる程度の電荷（静電容量）を保持することができれば、環状部４０４の形状はどのようなものでもよい。
【００４４】
次に、図８（ａ）、図８（ｂ）、図９を用いて他の入力デバイス５００に関して説明する。
図８（ａ）、図８（ｂ）は、入力デバイス５００の内部に設けた導電回路の一例を表した説明図である。同図に示した入力デバイス５００は、以下に説明する事項を除き前述した入力デバイス１と同一若しくは実質的な同一なものであるので、入力デバイス１と重複する説明については同一符号を付してその説明を省略する。
【００４５】
本実施の形態では、ＩＣ５が有する２極の電極の一方に、コイル状に複数回旋回させた渦巻き状配線２０の一端２１を接続し、反対端を所定の面積を有する平面電極２２ａに接続している。また、ＩＣ５が有する２極の電極の他方に直線状の配線２３を介して所定の面積を有する平面電極２４ａに接続している。
上記ＩＣ５、渦巻き状配線２０、直線状の配線２３、平面電極２２ａ、２４ａからなる導電層は、基材２上に設けられるか、別途設けた薄いシート上に形成される（図９（ａ））。
【００４６】
また、導電部４ａを配線２５によって所定の面積を有する平面電極２２ｂ接続し、導電部４ｄを配線２６よって所定の面積を有する平面電極２４ｂ接続した導電層を形成する（図９（ｂ））。
【００４７】
この導電層は、前記ＩＣ５を設けた導電層と同じ基材２若しくは別途設けた薄いシート上に形成してもよいし異なる層として形成してもよいが、平面電極２２ａと平面電極２２ｂおよび平面電極２４ａと平面電極２４ｂを絶縁した状態で対向さて図９に示すような回路を構成する。
入力デバイス５００が有する回路は、前述した入力デバイス１と近似しているが、ＩＣ５を中心としたＮＦＣを構成する部分と、タッチパネルによって検出させる導電部を中心とした部分を、対向させた電極によって電磁的に結合している点で相違する。電磁的に結合とは、電磁誘導、静電容量の結合等、非接触による高周波信号、高周波信号の伝達のことをいう。
【００４８】
以上説明した入力デバイスは、タッチパネルを利用して認識可能な情報を有するとともに、タッチパネル以外の手段によって取得可能な情報を保持するものである。これにより、方式の異なる２種類の認証方法を組み合わせた認証が可能になり、安全性を高めたセキュリティー機能の提供を行える等の効果を有している。
以上説明した各実施の形態は、本発明の趣旨を逸脱しない範囲で適宜組み合わせて使用することができるものである。また、本発明は上記において説明した各実施の形態に限定されるものでもない。
【産業上の利用可能性】
【００４９】
本発明は、各種の認証システム、金融、ゲーム、玩具等の様々な分野に利用可能である。
【符号の説明】
【００５０】
１  入力デバイス１
２  基材２
３  情報層３
４  導電部４
５  ＩＣ
６  パターン配線
７  配線７
Ａ１  被検領域
Ａ２  ＮＦＣ領域
【図１】
2018060485.tif 000003
【図２】
2018060485.tif 000004
【図３】
2018060485.tif 000005
【図４】
2018060485.tif 000006
【図５】
2018060485.tif 000007
【図６】
2018060485.tif 000008
【図７】
2018060485.tif 000009
【図８】
2018060485.tif 000010
【図９】
2018060485.tif 000011